(57)【要約】【課題】簡易な構造で、使用性の向上を図った収納スツールを提供する。【解決手段】内部に空間Ｓを画成するスツール本体２と、剛性を有して空間Ｓ内に配置される底板３と、剛性を有し、空間Ｓの開口部ＯＰを覆うとともに座面１５ａが形成された折りたたみ不能な蓋体５と、スツール本体２に着脱可能に設置されるインナーボックス４と、を備え、インナーボックス４は、空間Ｓ内に配置されるボックス本体２０と、ボックス本体２０設けられて、ボックス本体２０をスツール本体２の側面部１１Ｂにおける端縁１１ａによって支持可能とする支持部２３と、を有している。【選択図】図２
2016106836.tif 000002
【特許請求の範囲】
【請求項１】
四角形板状をなして折りたたみ可能なシート状をなす底面部と、剛性を有するとともに前記底面部の各辺に立設され、対向する二面に立設方向に延びる折曲線が形成されて平板状に折りたたみ可能な側面部とを備え、内部に空間を画成するスツール本体と、
剛性を有して前記底面部に対応する四角形板状をなし、該底面部に沿って前記空間内に配置される底板と、
剛性を有し、前記空間の開口部を覆うとともに座面が形成された折りたたみ不能な蓋体と、
前記スツール本体に着脱可能に設置されるインナーボックスと、
を備え、
前記インナーボックスは、
四角形板状をなして折りたたみ可能なシート状をなすボックス底面部と、剛性を有するとともに前記ボックス底面部の各辺に立設され、対向する二面に立設方向に延びる折曲線が形成されて平板状に折りたたみ可能なボックス側面部とを備えて前記空間内に配置されるボックス本体と、前記ボックス本体に設けられて、該ボックス本体を前記スツール本体の前記側面部における端縁によって支持可能とする支持部と、を有し、
前記蓋体は、四角形板状をなして前記座面が形成された頂面部と、前記頂面部の各辺に立設された立設面部とを備え、
前記底板と、折りたたまれた前記スツール本体と、折りたたまれた前記インナーボックスとは、前記蓋体の内側に収容可能となっており、
前記支持部は、前記端縁に対向して該端縁に支持される端縁対向部と、前記端縁対向部から屈曲し、前記側面部に沿って延びる側面対向部と、を有する収納スツール。
【請求項２】
前記支持部は、前記側面対向部と前記側面部との間に介在された面ファスナーをさらに有する請求項１に記載の収納スツール。
【請求項３】
前記ボックス本体は、直方体形状をなし、
前記支持部は、前記ボックス側面部のうちの面積が小さい二面のみに設けられ、
前記ボックス側面部における前記折曲線は、前記ボックス側面部のうちの面積が大きい二面のみに形成されている請求項１又は２に記載の収納スツール。
【発明の詳細な説明】
【技術分野】
【０００１】
本発明は、物品を収納可能なスツールに関する。
【背景技術】
【０００２】
従来から、例えば布材で形成されて折りたたみ可能となっており、内側に物品を収納でき、かつ、スツール（椅子）としても機能する収納スツールが知られている。このような収納スツールは、折りたたむことで体積を小さくできるため、不使用時の収納スペースの省スペースが可能となり、また、使用時には、内部に物品を収容することができるため、非常に利便性が高い。
【０００３】
このような収納スツールは、例えば特許文献１に開示されているように、本体部（箱体）及び蓋体が、折線によって平板状に折りたたみ可能となっている。
【先行技術文献】
【特許文献】
【０００４】
【特許文献１】実用新案登録第３１２１０９６号公報
【発明の概要】
【発明が解決しようとする課題】
【０００５】
しかしながら、特許文献１に開示された従来の収納スツールでは、本体部に形成された収納空間が大きいため、小物の収納や整理には適しておらず、収納空間の有効利用が難しい。また、収納空間が深くなってしまい、収納された物品を取り出すのにも不便である。
【０００６】
本発明はこのような事情を考慮してなされたものであり、簡易な構造で、使用性の向上を図った収納スツールを提供することを目的とする。
【課題を解決するための手段】
【０００７】
上記課題を解決するため、本発明は以下の手段を採用している。
即ち、本発明の第一の態様に係る収納スツールは、四角形板状をなして折りたたみ可能なシート状をなす底面部と、剛性を有するとともに前記底面部の各辺に立設され、対向する二面に立設方向に延びる折曲線が形成されて平板状に折りたたみ可能な側面部とを備え、内部に空間を画成するスツール本体と、剛性を有して前記底面部に対応する四角形板状をなし、該底面部に沿って前記空間内に配置される底板と、剛性を有し、前記空間の開口部を覆うとともに座面が形成された折りたたみ不能な蓋体と、前記スツール本体に着脱可能に設置されるインナーボックスと、を備え、前記インナーボックスは、四角形板状をなして折りたたみ可能なシート状をなすボックス底面部と、剛性を有するとともに前記ボックス底面部の各辺に立設され、対向する二面に立設方向に延びる折曲線が形成されて平板状に折りたたみ可能なボックス側面部とを備えて前記空間内に配置されるボックス本体と、前記ボックス本体に設けられて、該ボックス本体を前記スツール本体の前記側面部における端縁によって支持可能とする支持部と、を有し、前記蓋体は、四角形板状をなして前記座面が形成された頂面部と、前記頂面部の各辺に立設された立設面部とを備え、前記底板と、折りたたまれた前記スツール本体と、折りたたまれた前記インナーボックスとは、前記蓋体の内側に収容可能となっており、前記支持部は、前記端縁に対向して該端縁に支持される端縁対向部と、前記端縁対向部から屈曲し、前記側面部に沿って延びる側面対向部と、を有している。
【０００８】
このような収納スツールによれば、スツール本体の内部に画成された空間に、インナーボックスが配置される。即ち、インナーボックスによって、スツール本体の空間よりも小さな空間をスツール本体の内部に設けることができる。このため、小物を収納、整理することが可能となる。さらに、このインナーボックスは、支持部によってスツール本体にインナーボックスのボックス本体を支持するため、スツール本体に対して、立設方向の一方側からインナーボックスを載置するのみでインナーボックスを設置することができる。
また、蓋体にすべての構成物品を収容することが可能となるため、折りたたみ時の収納スペースを小さくすることができる。また蓋体は剛性を有するため、構成物品を収容する際に変形することなく、形状を保持することが可能である。従って、構成物品の収容が容易である。
また、インナーボックスの支持部が、端縁対向部と側面対向部とを有していることで、スツール本体の側面部に引っ掛かるようにしてボックス本体を支持することができる。従って、インナーボックスのスツール本体からの脱落を抑制できる。
【０００９】
また、本発明の第二の態様に係る収納スツールでは、上記第一の態様に係る前記支持部は、前記側面対向部と前記側面部との間に介在された面ファスナーをさらに有していてもよい。
【００１０】
このように面ファスナーが設けられていることで、インナーボックスを、さらにしっかりとスツール本体に支持することができ、インナーボックスのスツール本体からの脱落を抑制でき、使用性の向上が可能となる。さらに、面ファスナーをスツール本体の側面部の端縁に沿って配置することで、支持部のスツール本体に対する固定位置を適宜選択することが可能となり、使用性をさらに向上することができる。
【００１１】
また、本発明の第三の態様に係る収納スツールでは、上記第一又は二の態様での前記ボックス本体は、直方体形状をなし、前記支持部は、前記ボックス側面部のうちの面積が小さい二面のみに設けられ、前記ボックス側面部における前記折曲線は、前記ボックス側面部のうちの面積が大きい二面のみに形成されていてもよい。
【００１２】
このような位置に折曲線が形成されていることで、インナーボックスを折りたたむ際に、より小さく折りたたむことができる。従って、折りたたみ時の収納スペースを小さくすることができ、省スペース化が可能である。
また、支持部が、折曲線の形成されていない二面のボックス側面のみに設けられていることになるため、インナーボックスの折りたたみ時に、支持部が邪魔になりにくく、折りたたみ作業を容易に行うことができる。
【発明の効果】
【００１３】
上記の収納スツールによると、スツール本体の側面部における端縁によって支持されるインナーボックスを備えることで、簡易な構造で、使用性の向上を図ることができる。
【図面の簡単な説明】
【００１４】
【図１】本発明の実施形態に係る収納スツールの組み立て後の様子を示す全体斜視図である。
【図２】本発明の実施形態に係る収納スツールの組み立て前の様子を示す全体斜視図である。
【図３】本発明の実施形態に係る収納スツールにおける蓋体を取り外した様子を示す全体斜視図である。
【図４】本発明の実施形態に係る収納スツールを折りたたんで、蓋体に収容する様子を示す全体斜視図である。
【図５】本発明の実施形態の変形例に係る収納スツールにおける蓋体を取り外した様子を示す全体斜視図である。
【発明を実施するための形態】
【００１５】
以下、本発明の実施形態に係る収納スツール１について説明する。
図１に示すように、収納スツール１は、全体として略立方体形状をなし、物品を収納可能としつつスツール（椅子）としての使用が可能である。
【００１６】
図２に示すように、収納スツール１は、内部に物品を収納可能な空間Ｓを画成するスツール本体２と、スツール本体２の空間Ｓ内に配置される底板３と、スツール本体２に着脱可能に設けられるインナーボックス４と、スツール本体２に取り付けられて空間Ｓの開口部ＯＰを覆うとともに（図３参照）、座面１５ａが形成された蓋体５とを備えている。
【００１７】
スツール本体２は、例えば布材で形成されており、四角形板状をなして折りたたみ可能なシート状をなす底面部１０と、剛性を有するとともに底面部１０の各辺に立設された側面部１１とを備えている。
【００１８】
底面部１０は、自在に折りたたみが可能なやわらかい布によって形成されていることで、軟性を有し、本実施形態では、折りたたまれていない状態で略正方形の板状をなしている。
【００１９】
側面部１１は、底面部１０の各辺から立設されるとともに、各々が正方形の板状をなし、四つの側面部１１は一体に形成され、底面部１０が折りたたまれていない状態で底面部１０とともに上記空間Ｓを画成する箱状をなしている。
以下、側面部１１が立設される立設方向を上下方向Ｄ１とする。
【００２０】
側面部１１には、対向する二面のみに上下方向Ｄ１全域にわたって延びる折曲線１１ｂが形成されており、詳細を後述するように、この折曲線１１ｂを中心に側面部１１を折り曲げることで、スツール本体２を平板状に折りたたみ可能となっている（図４参照）。ここで、側面部１１が折りたたまれた状態では、底面部１０も小さくなるように折りたたまれる。
以下、折曲線１１ｂが形成された側面部１１を側面部１１Ａとし、折曲線１１ｂが形成されていない側面部１１を側面部１１Ｂとする。
【００２１】
底板３は、例えば布材で形成されており、スツール本体２の底面部１０に対応する正方形状をなし、かつ、剛性を有している。そして、スツール本体２の空間Ｓ内で、底面部１０に載置されて底面部１０に沿って配置されることで、底面部１０が折りたたまれずに、底面部１０に対して、展開した状態を維持させる。
【００２２】
蓋体５は、例えば布材で形成されており、蓋体５は剛性を有しており、折りたたみは不能になっている。そして蓋体５は、四角形板状をなす頂面部１５と、頂面部１５の各辺に立設された立設面部１６とを備えている。
【００２３】
頂面部１５は、底板３よりも若干寸法が大きな正方形板状をなし、蓋体５がスツール本体２に取り付けられた状態で、上方を向く面が座面１５ａとなる。
【００２４】
立設面部１６は、頂面部１５の各辺に立設されるとともに、各々が長方形の略板状をなし、四つの立設面部１６は一体に形成され、蓋体５がスツール本体２に取り付けられた状態で下方に延びている。そして、立設面部１６は、頂面部１５とともに内側に収容空間Ｓ１を画成する箱状をなしている。
【００２５】
立設面部１６の上下の長さ寸法は、スツール本体２の上下方向Ｄ１の長さ寸法よりも小さくなっている。そして、蓋体５が、スツール本体２に取り付けられた状態では、スツール本体２の側面部１１を立設面部１６が外側から覆うように配置される。
【００２６】
インナーボックス４は、スツール本体２の空間Ｓ内に配置されるボックス本体２０と、ボックス本体２０をスツール本体２に支持可能とする支持部２３とを有している。
【００２７】
ボックス本体２０は例えば布材で形成されており、長方形の板状をなして折りたたみ可能なシート状をなすボックス底面部２２と、剛性を有するとともにボックス底面部２２の各辺に立設されたボックス側面部２１とを備えて、略直方体の箱状をなしている。ボックス底面部２２及びボックス側面部２１によって囲まれる部分が、物品等を収納可能な空間Ｓ２となっている。
【００２８】
本実施形態では、ボックス本体２０は、スツール本体２の空間Ｓの開口部ＯＰの略半分を覆う程度の寸法になっている。また、ボックス本体２０は、上下方向Ｄ１の寸法が、スツール本体２に比べて十分に小さくなっている。
【００２９】
ボックス底面部２２は、自在に折りたたみが可能な柔らかい布材等によって形成されていることで軟性を有し、本実施形態では折りたたまれていない状態で略長方形の板状をなしている。
【００３０】
ボックス側面部２１には、対向する二面のみに上下方向Ｄ１全域にわたって延びる折曲線２１ａが形成されている。本実施形態では、折曲線２１ａは、四つ（二対）のボックス側面部２１のうち、面積が大きい方の二つ（一対）のボックス側面部２１Ａに形成されている。
【００３１】
また詳細を後述するように、この折曲線２１ａを中心にボックス側面部２１を折り曲げることで、ボックス本体２０を平板状に折りたたみ可能となっている（図４参照）。ここで、ボックス側面部２１Ａが折りたたまれた状態では、ボックス底面部２２も小さくなるように折りたたまれる。
【００３２】
さらに本実施形態では、折曲線２１ａは、ボックス側面部２１Ａの幅方向Ｄ２中央部から一方に寄った位置に形成されている。
より詳しくは、対向する一対のボックス側面部２１Ａの一方における折曲線２１ａと、他方における折曲線２１ａとは、互いに幅方向Ｄ２に異なる側に寄った位置に形成されている。これによりボックス側面部２１Ａは、折曲線２１ａを挟んで幅方向Ｄ２に小さい部分２１ｂと幅方向Ｄ２に大きい部分２１ｃとに領域が分断されている。
【００３３】
また、インナーボックス４がスツール本体２に設置された状態（図３参照）では、面積の小さい方の一対のボックス側面部２１Ｂの上端縁２１Ｂａは、側面部１１Ｂの端縁１１ａと上下方向Ｄ１に略同じ位置に配置されるとともに、ボックス側面部２１Ｂがスツール本体２の側面部１１Ｂの内面に接触する。
【００３４】
即ち、面積の大きい方の一対のボックス側面部２１Ａの幅方向Ｄ２の寸法は、側面部１１（１１Ａ）の幅方向Ｄ２の寸法より若干小さくなっている。また、面積の小さい方の一対のボックス側面部２１Ｂの幅方向Ｄ３の寸法は、スツール本体２の側面部１１（１１Ｂ）の幅方向Ｄ３の寸法の略半分となっている。
【００３５】
ボックス側面部２１（２１Ａ、２１Ｂ）の上下方向Ｄ１の寸法は、側面部１１の上下方向Ｄ１の寸法よりも十分に小さくなっており（本実施形態では、側面部１１の３分の１程度の寸法）、ボックス本体２０が空間Ｓ内に配置された際には、底面部１０が側面部１１の上下方向Ｄ１の中途位置に配置されるようになっている。
【００３６】
支持部２３は、ボックス本体２０に設けられ、スツール本体２の側面部１１（１１Ｂ）における上側の端縁１１ａによって、ボックス本体２０を下方から支持可能とする。
【００３７】
より具体的には、本実施形態では、支持部２３は柔らかい布材等によって形成されて軟性を有しており、四つのボックス側面部２１のうち、折曲線２１ａが形成されていない一対のボックス側面部２１、即ち、面積が小さい方のボックス側面部２１Ｂに取り付けられている。
【００３８】
そして支持部２３は、端縁１１ａに対向して端縁１１ａに支持される端縁対向部２４と、端縁対向部２４から屈曲し、スツール本体２の側面部１１に沿って延びる側面対向部２５とを有している。
【００３９】
端縁対向部２４は、ボックス本体２０がスツール本体２に設置された状態で、ボックス側面部２１Ｂの上端縁２１Ｂａから幅方向Ｄ２の外側に突出するように延びて、側面部１１（１１Ｂ）の端縁１１ａに接触するシート状をなしている。また、実際には、この端縁対向部２４は、ボックス側面部２１Ｂの内側の面に巻き込まれるようにして、ボックス側面部２１Ｂに固定されている。
【００４０】
側面対向部２５は、端縁対向部２４に一体に設けられ、側面部１１（１１Ｂ）の外側を向く面上に沿って配置可能なシート状をなしている。
【００４１】
また、本実施形態では、支持部２３は、側面対向部２５と、スツール本体２の側面部１１（１１Ｂ）との間に介在される面ファスナー２７をさらに有している。
【００４２】
面ファスナー２７としては、側面部１１（１１Ｂ）の端縁１１ａに略平行に、側面部１１（１１Ｂ）における幅方向Ｄ３全域にわたってフック側（又はループ側）が設けられており、また、側面対向部２５にはループ側（又はフック側）が設けられている。
【００４３】
次に、図４を参照して、収納スツール１を折りたたんで、蓋体５以外の他の収納スツール１の構成物品を蓋体５に収容する場合の一例を説明する。
まず、蓋体５の収容空間Ｓ１の開口が上方を向くように載置する。
【００４４】
その後、蓋体５の収容空間Ｓ１内に底板３を挿入し、頂面部１５に底板３を載置する。その上から底板３に積層するようにして、折りたたむことで平板状をなしているスツール本体２を、蓋体５の収容空間Ｓ１内に挿入する。
【００４５】
スツール本体２を折りたたむ際には、折曲線１１ｂを中心として、折曲線１１ｂが形成されている側面部１１Ａにおける折曲線１１ｂを挟む幅方向Ｄ２両側の部分（図１〜３参照）を、折曲線１１ｂの形成されていない一対の側面部１１Ｂに挟み込むようにして、内側に折り込む。これにより、スツール本体２を折りたたんだ後の寸法は、折曲線１１ｂの形成されていない側面部１１Ｂと略同一の寸法となる。
【００４６】
さらに、その上から折りたたんだスツール本体２に積層するようにして、折りたたむことで平板状をなしているインナーボックス４を、蓋体５の収容空間Ｓ１内に挿入する。
【００４７】
例えば、インナーボックス４を折りたたむ際には、折曲線２１ａを中心として、ボックス側面部２１Ａにおける折曲線２１ａを挟む一方側の部分（小さい部分２１ｂ）が、ボックス側面部２１Ａにおける折曲線２１ａを挟む他方側の部分（大きい部分２１ｃ）に重なるようにして内側に折り込まれる。
【００４８】
これにより、インナーボックス４を折りたたんだ後の寸法は、折曲線２１ａの形成されているボックス側面部２１Ａにおける上記他方側の部分（大きい部分２１ｃ）の寸法程度になる。
【００４９】
インナーボックス４が折りたたまれた状態では、支持部２３は、例えば折曲線２１ａの形成されていないボックス側面部２１Ｂと、折曲線２１ａの形成されているボックス側面部２１Ａのうちの上記一方側の部分（小さい部分２１ｂ）に挟まれるようにして配置される。
【００５０】
このように、底板３と、折りたたまれたスツール本体２と、折りたたまれたインナーボックス４とが、蓋体５の収容空間Ｓ１に収容可能となっている。底板３、スツール本体２、及びインナーボックス４が蓋体５に収容された状態では、蓋体５の立設面部１６の上下方向Ｄ１の高さ寸法以内に、これら底板３、スツール本体２、及びインナーボックス４が収まるようになっている。
【００５１】
なお、上述した図４に基づく説明は一例であって、底板３、スツール本体２、及びインナーボックス４を蓋体５に収容する順序は限定されない。
【００５２】
以上説明した本実施形態の収納スツール１によれば、スツール本体２の内部に画成された空間Ｓに、インナーボックス４が配置される。即ち、インナーボックス４によって、スツール本体２の空間Ｓよりも小さな空間Ｓ２を、スツール本体２の内部に設けることができる。このため、小物を収納、整理することが可能となる。
【００５３】
さらに、このインナーボックス４では、支持部２３によってスツール本体２にボックス本体２０を支持するようになっていることで、上方からインナーボックス４をスツール本体２に載置するようにして設置するのみでインナーボックス４を取り付けることができる。このため、インナーボックス４の着脱構造が簡易であり、使い勝手がよく、使用性の向上を図ることができる。
【００５４】
また、蓋体５に、底板３、スツール本体２、インナーボックス４のすべての収納スツール１の構成物品を収容することが可能となるため、折りたたみ時の収納スペースを小さくすることができる。
また、蓋体５は剛性を有するため、上記の構成物品を収容する際に蓋体５が変形してしまうことがなく、形状を保持することが可能であり、構成物品の収容が容易である。
【００５５】
また、支持部２３が、端縁対向部２４と側面対向部２５とを有していることで、スツール本体２の側面部１１（１１Ｂ）に引っ掛かるようにして、ボックス本体２０を支持することができる。従って、インナーボックス４のスツール本体２からの脱落を抑制でき、使用性の向上が可能となる。
【００５６】
また、支持部２３は柔らかい布材等によって形成されているため、インナーボックス４を折りたたむ際に、支持部２３も、ボックス本体２０ともに折りたたむことが可能となり、折りたたみ時の寸法をさらに小さく抑えることができる。
【００５７】
また、面ファスナー２７が設けられていることで、インナーボックス４を、しっかりとスツール本体２に支持することができ、インナーボックス４のスツール本体２からの脱落を抑制でき、使用性の向上が可能となる。
【００５８】
さらに、面ファスナー２７のループ側（又はフック側）を、スツール本体２の側面部１１（１１Ｂ）の端縁１１ａに沿って、幅方向Ｄ３の全域にわたって配置することで、支持部２３のスツール本体２に対する固定位置を適宜選択することが可能となる。よって、インナーボックス４とスツール本体２との相対位置関係を適宜選択することができ、使用性をさらに向上することができる。
【００５９】
また、インナーボックス４の折曲線２１ａが、ボックス側面部２１のうちの面積が大きいボックス側面部２１Ａに形成されていることで、インナーボックス４を折りたたむ際に、より小さく折りたたむことができる。
【００６０】
例えば、折曲線２１ａが幅方向Ｄ２の中央に寄って形成され、ボックス側面部２１Ａにおける小さい部分２１ｂと、面積の小さい方のボックス側面部２１Ｂとが、略同じ面積となっている場合、インナーボックス４の折りたたみ時の寸法を、面積が大きい方のボックス側面部２１Ａにおける大きい部分２１ｃと同等の寸法に抑えることができる。
【００６１】
この結果、面積が大きい方のボックス側面部２１Ａ全体の折りたたみ前の寸法よりも、インナーボックス４の折りたたみ時の寸法を小さくすることができ、折りたたみ時の収納スペースを小さくすることができ、省スペース化が可能である。
【００６２】
また、インナーボックス４の折曲線２１ａが、支持部２３が設けられていないボックス側面部２１Ａのみに形成されていることで、インナーボックス４の折りたたみ時に、支持部２３が邪魔になりにくくなり、折りたたみをさらに容易に行うことができる。
【００６３】
さらに、インナーボックス４は、スツール本体２の空間Ｓの開口部ＯＰの略半分を覆う寸法に形成されていることで、インナーボックス４の空間Ｓ２を使用しつつも、スツール本体２の空間Ｓのうちインナーボックス４が占有する以外の部分も同時に使用することができる。即ち、スツール本体２の底面部１０に収納して載置された物品へのアクセスや、これら物品の視認が容易になる。
【００６４】
以上、本発明の実施形態について詳細を説明したが、本発明の技術的思想を逸脱しない範囲内において、多少の設計変更も可能である。
例えば、インナーボックス４の面ファスナー２７は、スツール本体２における折曲線１１ｂが形成されている側面部１１Ａにも設けられていてもよいし、この側面部１１Ａのみ面ファスナー２７が設けられていてもよい。
【００６５】
また、インナーボックス４の支持部２３は、布製ではなく、例えば剛性を有する金属製や樹脂製のフックのような部材であってもよい。即ち、少なくとも、スツール本体２の側面部１１の端縁１１ａに上方から載置、取付可能になっていればよい。
特に、支持部２３を、剛性を有するフックとすることで、面ファスナー２７を設けなくとも、しっかりとボックス本体２０を側面部１１に支持することができる。また、この場合、側面部１１の端縁１１ａ上で支持部２３をスライド移動させることで、インナーボックス４とスツール本体２との相対位置関係を容易に変更することも可能である。
【００６６】
また、支持部２３のボックス本体２０への設置位置は上述の実施形態の場合に限定されず、少なくともスツール本体２の側面部１１の端縁１１ａに上方から載置可能な位置に設けられていればよい。例えば、ボックス本体２０及び支持部２３の寸法を適宜調整するとともに、折曲線２１ａが形成されているボックス側面部２１Ａに支持部２３を設けてもよい。
【００６７】
また、インナーボックス４の折曲線２１ａは、上述したように、ボックス側面部２１Ａにおける小さい部分２１ｂと、面積の小さい方のボックス側面部２１Ｂとが、略同じ面積となるような位置に形成することが好ましい。
しかしながら、少なくとも、ボックス側面部２１Ａにおける小さい部分２１ｂが、面積の小さい方のボックス側面部２１Ｂの半分以上の面積となるような位置に折曲線２１ａを形成すれば、インナーボックス４の折りたたみ時の寸法を小さく抑えることが可能である。
なお、折曲線２１ａを、面積の小さい方の一対のボックス側面部２１Ｂに形成してもよい。
【００６８】
さらに、インナーボックス４の寸法は上述した実施形態の場合に限定されない。例えば、スツール本体２の空間Ｓの開口部ＯＰ全体を覆うようにしてもよい。また、インナーボックス４は複数であってもよい。
【００６９】
さらに、上述の実施形態では、収納スツール１は、全体として略立方体形状をなしているが、直方体形状をなしていてもよい。
即ち、図５に示すように、収納スツール１Ａは、収納スツール１を幅方向Ｄ３に二つ並べた程度の外形寸法を有している。また、インナーボックス４Ａもインナーボックス４を幅方向Ｄ３に二つ並べた程度の外形寸法を有している。インナーボックス４Ａには、ボックス側面部２１Ｂの各々に、幅方向Ｄ３に離間して二つずつの支持部２３が設けられている。
【符号の説明】
【００７０】
１、１Ａ…収納スツール
２…スツール本体
３…底板
４、４Ａ…インナーボックス
５…蓋体
１０…底面部
１１、１１Ａ、１１Ｂ…側面部
１１ａ…端縁
１１ｂ…折曲線
１５…頂面部
１５ａ…座面
１６…立設面部
２０…ボックス本体
２１、２１Ａ、２１Ｂ…ボックス側面部
２１ａ…折曲線
２１ｂ…小さい部分
２１ｃ…大きい部分
２１Ｂａ…上端縁
２２…ボックス底面部
２３…支持部
２４…端縁対向部
２５…側面対向部
２７…面ファスナー
Ｓ…空間
Ｓ１…収容空間
Ｓ２…空間
ＯＰ…開口部
Ｄ１…上下方向
Ｄ２…幅方向
Ｄ３…奥行方向
【図１】
2016106836.tif 000003
【図２】
2016106836.tif 000004
【図３】
2016106836.tif 000005
【図４】
2016106836.tif 000006
【図５】
2016106836.tif 000007